(57)【要約】【課題】導電性を有する複数の外装部を、構造が簡素で廉価な連結構造によって電気的に導通させるよう接続する。これと共に、装置の外観に対するデザインの自由度が制限されないようにした、電子機器を提供する。【解決手段】導電性の材料で形成され、電子機器の一方面を覆うものであって、連結爪部が形成される第１のカバーと、前記電子機器の他方面を覆うものであって、切欠きが形成される第２のカバーと、導電性の材料で形成され、前記第２のカバーの表面を覆うものであって、前記第２のカバーの表面を覆うときに前記切欠き部に位置する連結部が形成される第３のカバーとを有し、前記連結爪部と前記連結部とが係合することで、前記第１のカバーと前記第３のカバーとが前記第２のカバーを挟んで固定されるとともに、前記第１のカバーと前記第３のカバーとが電気的に接続される。【選択図】図６
2011059164.tif 000002
【特許請求の範囲】
【請求項１】
導電性の材料で形成され、電子機器の一方面を覆うものであって、連結爪部が形成される第１のカバーと、
前記電子機器の他方面を覆うものであって、切欠きが形成される第２のカバーと、
導電性の材料で形成され、前記第２のカバーの表面を覆うものであって、前記第２のカバーの表面を覆うときに前記切欠き部に位置する連結部が形成される第３のカバーとを有し、
前記連結爪部と前記連結部とが係合することで、前記第１のカバーと前記第３のカバーとが前記第２のカバーを挟んで固定されるとともに、前記第１のカバーと前記第３のカバーとが電気的に接続されることを特徴とする電子機器。
【請求項２】
前記連結部が前記電子機器内部の導体部分に電気的に接続されることを特徴とする請求項１に記載の電子機器。
【請求項３】
前記第２のカバーは導電性の材料で形成されるものであって、前記連結部には、前記第３のカバーが前記第２のカバーの表面を覆うときに、前記第２のカバーと電気的に接続される接続部が形成されることを特徴とする請求項１または２に記載の電子機器。
【請求項４】
前記第２のカバーと前記第３のカバーは導電性を持たない両面テープによって貼着されることを特徴とする請求項１ないし３のいずれか１項に記載の電子機器。
【発明の詳細な説明】
【技術分野】
【０００１】
本発明は、電気回路を用いて情報を扱う電子機器に係わり、特に電子機器の外装構造に関する。
【背景技術】
【０００２】
近年、電子機器であるデジタルカメラの分野では、製品の薄型化や、高級感を出すために外観を構成する外装部材として、金属製の外装カバー部材を用いるものが多くなっている。また、このようなデジタルカメラでは、金属外装カバーをアース電位部と接続して電気的に安定させることが必要になる。例えば、デジタルカメラを操作する人間の指先等には、静電気が蓄積しやすい。人間の指先等からデジタルカメラへ静電気が放電した時には、金属部材の表面に逃げず、デジタルカメラ内部に設けた電気回路（例えばＣＣＤ、ＤＣ−ＤＣコンバータ、各種ＩＣ等）に飛び込んで、電子部品の故障の原因となる虞がある。
【０００３】
そこで、デジタルカメラでは、金属外装カバーを内部のシャーシなどのアース電位部に接続して、電気的に導通させている。さらに、デジタルカメラでは、複数の金属外装カバー同士も互いに電気的に接続し導通させて、電気的に安定させることが必要になる。
【０００４】
従来、デジタルカメラの複数の外装部を簡単な構成により電気的に導通させ、内部構成から発生するノイズの外部への放出を抑制するものが提案されている（例えば、特許文献１参照）。
【０００５】
この従来のデジタルカメラは、前面外装部と背面外装部とを、金属製の連結部材を介して連結する構造を備える。この金属製連結部材には、前面及び背面外装部の外装面と接する部位に導通用突起が形成されている。
【０００６】
また、前面及び背面外装部は、導電性材料により形成され、外装面に装飾塗装等のコート層が形成されている。この前面外装部は、内部構成の接地部位に接続されている。
【０００７】
この連結部材を前面及び背面外装部に取り付ける際には、連結部材の導通用突起がコート層を削り、前面及び背面外装部が連結部材を介して電気的に接続され、前面及び背面外装部が接地部位に電気的に接続された状態となる。その結果、簡単な構成により前面及び背面外装部を電気的に導通させることができ、内部構成から発生するノイズの外部への放出を抑制できるものである。
【先行技術文献】
【特許文献】
【０００８】
【特許文献１】特開２００１−２７４５８５号公報
【発明の概要】
【発明が解決しようとする課題】
【０００９】
上述のように電子機器に用いられる金属製の連結部材では、前面及び背面外装部の外装面と接する部位に突設する導通用突起を、金属板金の曲げ加工等で形成することは、機械加工上困難であり、また、デザインを制限することになる。このような導通用突起を持つ金属製の連結部材を、金属ダイキャスト加工で形成する場合には、大幅なコストアップに繋がる。
【００１０】
このような導通用突起を持つ連結部材を、導通用突起を金属で構成し、連結部材の外装部分を樹脂で構成してそれぞれ別部品とし、これらを組み合わせて一体化する場合には、部品点数が増え、組立工数が増えて、製品が高価になる。
【００１１】
金属製のさらに、導通用突起を持つ連結部材を、樹脂と金属で一体成形するインサート成形の場合では、金属ダイキャスト加工と同様に製品が高価になる。
【００１２】
また、前述したような電子機器では、より個性感を出すために前後金属カバーの一部を別部材の金属で構成し、色彩や外観表面処理を変化させた別外観部材（化粧板）を用いて構成する場合がある。
【００１３】
本発明の目的は、外装金属カバー等の導電性を有する複数の外装部を、構造が簡素で廉価な連結構造によって電気的に導通させるよう接続する。これと共に、この連結構造を設けることによって外装金属カバーを用いて構成される装置の外観に対するデザインの自由度が制限されないようにした、電子機器を提供することにある。
【課題を解決するための手段】
【００１４】
上記目的を達成するために、本発明の電子機器は、導電性の材料で形成され、電子機器の一方面を覆うものであって、連結爪部が形成される第１のカバーと、前記電子機器の他方面を覆うものであって、切欠きが形成される第２のカバーと、導電性の材料で形成され、前記第２のカバーの表面を覆うものであって、前記第２のカバーの表面を覆うときに前記切欠き部に位置する連結部が形成される第３のカバーとを有し、前記連結爪部と前記連結部とが係合することで、前記第１のカバーと前記第３のカバーとが前記第２のカバーを挟んで固定されるとともに、前記第１のカバーと前記第３のカバーとが電気的に接続されることを特徴とする。
【発明の効果】
【００１５】
本発明によれば、電子機器における外装金属カバー等の導電性を有する複数の外装部を、構造が簡素で廉価な連結構造によって電気的に導通させるよう接続することができる。これと共に、この電子機器では、外装金属カバーを用いて構成される装置の外観に対するデザインの自由度が制限されないようにできる。
【図面の簡単な説明】
【００１６】
【図１】本発明の電子機器の実施の形態に係わるデジタルカメラの本体の正面外観図である。
【図２】本発明の電子機器の実施の形態に係わるデジタルカメラの本体の背面外観図である。
【図３】本発明の電子機器の実施の形態に係わるデジタルカメラに用いる化粧板を示す斜視図である。
【図４】本発明の電子機器の実施の形態に係わるデジタルカメラに用いられるリアカバーを示す斜視図である。
【図５】本発明の電子機器の実施の形態に係わるデジタルカメラに用いられる、フロントカバー、リアカバー及び化粧板を一体的に組み付けた状態を示す斜視図である。
【図６】本発明の電子機器の実施の形態に係わるデジタルカメラに用いられる、フロントカバー、リアカバー及び化粧板の部分を取り出して示す分解斜視図である。
【図７】本発明の電子機器の実施の形態に係わるデジタルカメラにおけるフロントカバーと、化粧板とが爪係合している箇所を拡大して示す、要部断面図である。
【図８】本発明の電子機器の実施の形態に係わるデジタルカメラにおける化粧板の一部を、電子機器内部の導体部品に外装ねじで共締めした部分を取り出して示す拡大断面図である。
【図９】本発明の電子機器の実施の形態に係わるデジタルカメラにおける化粧板の凸形状部を示す斜視図である。
【図１０】本発明の電子機器の実施の形態に係わるデジタルカメラにおける化粧板から延設された連結部に形成された突起部がリアカバーと当接した箇所を示す拡大断面図である。
【発明を実施するための形態】
【００１７】
以下、本発明の電子機器における実施の形態について、図面を参照して説明する。
【００１８】
図１は、本発明の電子機器の実施の形態に係わるデジタルカメラの本体の正面外観図である。
【００１９】
図１で、１は、撮影準備及び撮影開始を指示するためのレリーズ部、２は、鏡筒レンズの焦点位置を変化するためのズームレバー、３は、デジタルカメラの電源のＯＮ、ＯＦＦ機能を持つ電源ボタンである。さらに、図１で、４は、焦点位置を正確に知るための補助光窓、５は、ストロボ発光部、６は、音声を出力するスピーカー部、７は、沈胴式鏡筒レンズ、８は、導電性の材料で形成され、デジタルカメラの一方面を覆う第１のカバーとしてのフロントカバーである。
【００２０】
図２は、本発明の電子機器の実施の形態に係わるデジタルカメラの本体背面外観図である。
【００２１】
図２で、９は、撮影モードや再生モード等の切り替えを設定するためのモードレバー部、１０は、外部接続端子カバー、１１は、ストラップを通すためのストラップ部である。図２で、１２は、ライブ画像表示用又は撮影画像確認用の画像表示ＬＣＤ部、１３は、撮影時及び再生時に各種設定を行うコントローラーホイールである。２０は、化粧板、２１は、導電性の材料で形成され、デジタルカメラの他方面を覆う第２のカバーとしてのリアカバーである。
【００２２】
図３は、本発明の電子機器の実施の形態に係わるデジタルカメラに用いる化粧板を示す斜視図である。
【００２３】
図３で、２０は、導電性の材料で形成され、リアカバー２１の表面を覆う第３のカバーとしての化粧板である。２０ａ、２０ｂは、フロントカバー８（第１のカバー）と爪係合するための連結部である。図３で、２０ｃ、２０ｄ、２０ｅは、フロントカバー８の連結別部材と内部部品と、共締めするための連結部である。これらは全て第３のカバーである化粧板２０の一部として一体的に形成されている。
【００２４】
図４は、本発明の電子機器の実施の形態に係わるデジタルカメラに用いられるリアカバー２１を示す斜視図である。
【００２５】
リアカバー２１には、化粧板２０の連結部２０ａ、２０ｂ、２０ｃ、２０ｄ、２０ｅをそれぞれ通すため、矩形溝状に切欠して形成した切欠き部としての通し溝部２１ａ、２１ｂ、２１ｃ、２１ｄ、２１ｅが形成されている。さらに、リアカバー２１には、連結部材１８、１９が一体に形成されている。
【００２６】
図５は、本発明の電子機器の実施の形態に係わるデジタルカメラに用いられる、リアカバー２１と化粧板２０との間は、両面粘着テープ等で貼着することにより、一体化されている。
【００２７】
なお、上述した実施の形態では、リアカバー２１に、連結部材１８、１９を一体に形成している。これは、リアカバー２１に組み込む際に組立が困難になるため、あえて、別部材で形成してリアカバー２１に取り付けている。しかし、組立が容易な位置に配置することが可能であれば、化粧板２０と一体の部品として構成することも可能である。
【００２８】
図６は、本発明の電子機器の実施の形態に係わるデジタルカメラに用いられる、フロントカバー８、リアカバー２１及び化粧板２０の部分を取り出して示す分解斜視図である。本実施の形態では、リアカバー２１と化粧板２０との間を図示しない両面テープで仮固定してユニット状態とし、これにフロントカバー８を組み付ける。このため、リアカバー２１には、化粧板２０を受ける面２１ｆを設け、この面２１ｆに仮固定の両面テープを貼って化粧板２０を貼着する。なお、この両面テープは導電性を持たない。
【００２９】
図７は、本発明の電子機器の実施の形態に係わるデジタルカメラにおけるフロントカバー８と、化粧板２０とが係合している箇所を拡大して示す、要部断面図である。
【００３０】
図７に示すように、フロントカバー８の連結爪部２２と、化粧板２０の連結部２０ａとは係合する。このとき、リアカバー２１が挟み込まれる状態となる。
【００３１】
図８は、本発明の電子機器の実施の形態に係わるデジタルカメラにおける化粧板２０の一部を、電子機器内部の導体部品に外装ねじで共締めした部分を取り出して示す拡大断面図である。
【００３２】
図８に示すように、化粧板２０の一部２０ｅとフロントカバー８とを、電子機器内部に配置された導体部分である三脚座２４に、共締めビス２６（外装ねじ）で共締めする。この共締め状態では、フロントカバー８と化粧板２０との間にリアカバー２１が挟み込まれて固定される。図８で、２４は、導電性の材料で形成された三脚座、２５は、メインシャーシ、２６は、共締めビス２６である。
【００３３】
図９は、本発明の電子機器の実施の形態に係わるデジタルカメラにおける化粧板２０の突起部を示す斜視図である。
【００３４】
図１０は、本発明の電子機器の実施の形態に係わるデジタルカメラにおける化粧板から延設された連結部に形成された突起部がリアカバー２１と当接した箇所を示す拡大断面図である。
【００３５】
図９及び図１０に示すように、化粧板２０から延設された連結部２０ｃ、２０ｄの基端部には、接続部としての突起部２０ｆ、２０ｇを突設する。
【００３６】
図１０に示すように、化粧板２０の突起部２０ｆは、リアカバー２１の内側面に確実に当接するため、第３のカバーである化粧板２０が安定して電気的に接続された導通状態になる。本実施の形態に係わる電子機器の構成では、外装を構成するフロントカバー８とリアカバー２１の連結を化粧板２０の一部をのばした部分で行う。この化粧板２０の一部をのばした部分は、電子機器内部の導体部分である三脚座２４に外装ねじで共締めされる。
【００３７】
さらに本実施の形態では、フロントカバー８に溶接された連結爪部と化粧板２０の連結部が係合する構成となっている。このように構成にすることで、フロントカバー８と化粧板２０でリアカバー２１を挟み込み保持することになる。このとき、フロントカバー８と化粧板２０とが電気的に接続される。さらに、フロントカバー８とリアカバー２１の連結用に必要だったリアカバー２１に溶接されていた連結部は、化粧板２０の一部で構成されている。よって、リアカバー２１には連結部を形成することなく、コストダウンに繋がる。さらに、化粧板２０は色彩や表面処理を変化させることで、デザインを制限することがない。
【００３８】
また、化粧板２０の連結部付近には、リアカバー２１と当接するための突起部を形成している。これにより、リアカバー２１と化粧板２０は、電子機器内部の導体部分である三脚座２４と確実に電気的に接続されることになる。
【００３９】
次に、本実施の形態に係わる電子機器の構成の要部について説明する。
【００４０】
本実施の形態では、電子機器としてのデジタルカメラの外観を構成するためのハウジングの主要部分を、フロントカバー８、リアカバー２１及び化粧板２０で構成する。
【００４１】
このデジタルカメラのハウジングでは、リアカバー２１に化粧板２０を一体的に取り付けて、化粧板付きリアカバーとしてユニット化したものを、フロントカバー８に組み付ける。
【００４２】
このデジタルカメラのハウジングでは、化粧板付きリアカバーのユニット状態のものを、連結部２０ａ、２０ｂと、連結爪部２２、２２と、を有する係止構造で係止する。
【００４３】
この係止構造用の連結爪部２２は、フロントカバー８の周側面の上端辺部における所定位置（ここでは２箇所）にそれぞれ設置されている。この連結爪部２２は、小突片状に形成され、その内側面から係止突起が突設されている。
【００４４】
また、係止構造用の連結部２０ａ、２０ｂは、化粧板２０の外周を構成する辺部における所定複数位置（各連結爪部２２に対応した位置）から一体的に延設されている。この連結部２０ａ、２０ｂは、弾性変形可能で舌片状に形成され、その自由端部側に係止用の透穴が形成されている。
【００４５】
この係止構造は、連結爪部２２の係止突起が、連結部２０ａ、２０ｂの透穴に挿入されて連結状態を保つように構成されている。
【００４６】
また、このデジタルカメラのハウジングでは、フロントカバー８を、デジタルカメラ内部の導体部分である三脚座２４に締結する固定構造を有する。さらに、このデジタルカメラのハウジングでは、三脚座２４に締結する固定構造を利用して、ユニット化された化粧板付きリアカバーを、アース電位部と接続する。
【００４７】
この固定構造を構成するため、化粧板２０の外周を構成する辺部における所定複数位置から、連結部２０ｃ、２０ｄ、２０ｅを一体的に延設する。この固定構造を構成するための連結部２０ｃ、２０ｄ、２０ｅは、弾性変形可能で舌片状に形成され、その自由端部側に共締めビス２６（外装ねじ）を挿通するための透孔を穿設する。
【００４８】
また、フロントカバー８には、固定構造を構成するため、一方の縦側面と、底面との各所定位置に、共締めビス２６（外装ねじ）を挿通するための透孔８ａを穿設する。
【００４９】
このように構成したデジタルカメラの固定構造では、フロントカバー８の内部にデジタルカメラの内部機器を収めた状態で、ユニット化された化粧板付きリアカバーを取り付ける。
【００５０】
この固定構造で締結するときには、フロントカバー８の各透孔８ａに、共締めビス２６（外装ねじ）を挿通する。さらに、この共締めビス２６は、各々対応する連結部２０ｃ、２０ｄ、２０ｅの透孔に通して、金属製導体部品２４のねじ穴にねじ込んで締結する。
【００５１】
なお、このデジタルカメラでは、金属材質の三脚座２４と、フロントカバー８との間に、連結部２０ｃ、２０ｄ、２０ｅとメインシャーシ２５とを挟持するように、ビス２６で共締めする。
【００５２】
また、このデジタルカメラでは、化粧板２０とリアカバー２１とを、ユニット化する構成を採用している。
【００５３】
このユニット化する構成では、リアカバー２１の額縁状の枠部における開口側に、化粧板２０の外枠部を、外側から当接させる構成を採る。この化粧板２０から延出する連結部２０ａ、２０ｂ、２０ｃ、２０ｄ、２０ｅは、対応するリアカバー２１の矩形溝状に切欠して形成した通し溝部２１ａ、２１ｂ、２１ｃ、２１ｄ、２１ｅを通して延出させる。
【００５４】
このようにユニット化された化粧板付きリアカバーの構成では、連結部２０ａ、２０ｂ、２０ｃ、２０ｄ、２０ｅをフロントカバー８側に固定した状態で、化粧板２０と、フロントカバー８との間にリアカバー２１が挟持される。
【００５５】
よって、リアカバー２１に連結部２０ａ、２０ｂ、２０ｃ、２０ｄ、２０ｅを設けなくても、リアカバー２１をフロントカバー８側に固定できる。これによりリアカバー２１に連結部を設ける加工を省略して廉価に製造可能とすると共に、デザイン上の制約を受けないようにできる。
【００５６】
また、このユニット化された化粧板付きリアカバーの構成では、連結部２０ｃ、２０ｄに接続部としての突起部２０ｆ、２０ｇを設けて、化粧板２０とリアカバー２１との間の電気的導通を確実にしている。
【符号の説明】
【００５７】
８  フロントカバー８（第１のカバー）
２０  化粧板２０（第３のカバー）
２０ａ〜ｅ  連結部
２０ｆ〜ｇ  突起部
２１  リアカバー２１（第２のカバー）
２１ａ〜ｅ通し溝部（切欠き部）
２２  連結爪部
２４  三脚座
２６  共締めねじ
【図１】
2011059164.tif 000003
【図２】
2011059164.tif 000004
【図３】
2011059164.tif 000005
【図４】
2011059164.tif 000006
【図５】
2011059164.tif 000007
【図６】
2011059164.tif 000008
【図７】
2011059164.tif 000009
【図８】
2011059164.tif 000010
【図９】
2011059164.tif 000011
【図１０】
2011059164.tif 000012